(57)【要約】      （修正有）【課題】容易な入力手段を用いることによって適宜機器の点検重要度等を設定でき、また、必要に応じて過去の保全情報が読み出されることによって、プラントの高い安全性、低い運転・保守費用を実現するための現場保守支援システムを提供する。【解決手段】点検ルート以外に設置されている機器に対しても、必要に応じて点検時に気付いた異常情報を入力したＩＣタグを当該機器に付加することによって適宜点検ルートを最適化し、さらに機器の異常を確認した際、当該異常に対応する対処方法が不明な場合に、点検時に使用する用語のうち累積使用頻度の高いものが適宜選択されて、入力キーとして表示される変動キー領域を入力部に備えた点検作業用の携帯端末機器を介して、当該異常に関する気付き項目を入力することにより、過去の故障に対する保守履歴情報の格納されている保全情報ＤＢから最適な当該異常に対応する対処方法を入手することが可能となる。【選択図】図５Ａ
2007241598.tif 000002
【特許請求の範囲】
【請求項１】
現場点検の際に携帯され、入力部および表示部を備える携帯端末機器と、
現在までに現場において発生した故障に対する保守履歴情報を備えた工場内保全情報データベースを有する現場保守支援装置と
を具備し、
前記携帯端末機器の入力部は、点検時に使用する任意の用語を入力キーとして表示するための変動キー領域を備え、
前記現場点検時に、点検ルートおよび前記点検ルート以外に設置される機器に異常が発見されて前記異常に対応する対処方法が不明な場合、前記携帯端末機器は、前記入力部から入力された前記異常に関する気付き事項情報を前記現場保守支援装置に送信し、
前記現場保守支援装置は前記気付き事項情報の受信に基づいて、前記気付き事項情報と前記工場内保全情報データベースの前記保守履歴情報とを照合することにより前記異常に対応する対処方法を検索し、前記検索による検索結果を前記携帯端末機器に返送し、前記携帯端末機器は、前記検索結果を前記表示部に表示する現場保守支援システム。
【請求項２】
請求項１に記載の現場保守支援システムにおいて、
前記携帯端末機器の入力部は、さらに、タッチペンおよび指による手書き入力領域と、固定入力キー領域とを有する現場保守支援システム。
【請求項３】
請求項１または２に記載の現場保守支援システムにおいて、
前記変動キー領域には、前記点検時に使用する任意の用語が累積使用頻度に応じて規定数だけ選択され、さらに、予め設定されているキー配列規定に基づいて前記変動キー領域に表示される現場保守支援システム。
【請求項４】
請求項３に記載の現場保守支援システムにおいて、
前記累積使用頻度は、前記点検時に使用する任意の用語が、それぞれ前記現場点検までに前記変動キー領域と前記手書き入力領域とに入力された累積回数である現場保守支援システム。
【請求項５】
請求項１から４までの少なくとも一項に記載の現場保守支援システムにおいて、
前記現場点検の前に、前記携帯端末機器の前記入力部に前記現場点検を行う点検員の識別ＩＤが入力され、前記変動キー領域には、前記識別ＩＤに対応する点検員が前記点検時までに入力してきた前記点検時に使用する任意の用語が累積使用頻度に応じて規定数だけ選択され、さらに、予め設定されているキー配列規定に基づいて前記変動キー領域に表示される現場保守支援システム。
【請求項６】
現場点検の際に携帯され、点検時に使用する任意の用語を入力キーとして表示するための変動キー領域を備えた入力部と表示部とを備える携帯端末機器と、現在までに現場において発生した故障に対する保守履歴情報を備えた工場内保全情報データベースを有する現場保守支援装置とを具備する現場保守支援システムにおける現場保守支援方法であって、
前記現場点検時に、点検ルートおよび前記点検ルート以外に設置される機器に異常が発見されて前記異常に対応する対処方法が不明な場合、前記携帯端末機器は、前記入力部から入力された前記異常に関する気付き事項情報を前記現場保守支援装置に送信する気付き事項送信ステップと、
前記気付き事項送信ステップにより送信された前記気付き事項に基づいて、前記気付き事項情報と前記工場内保全情報データベースの前記保守履歴情報とを照合することにより前記異常に対応する対処方法を検索する対処方法検索ステップと、
前記対処方法検索ステップによる検索結果を前記携帯端末機器に返送する検索結果返送ステップと、
前記検索結果返送ステップにより返送されてきた前記検索結果を前記表示部に表示する検索結果表示ステップと
を具備する現場保守支援方法。
【請求項７】
請求項６に記載の現場保守支援方法において、
前記気付き事項送信ステップの前に、さらに、前記点検時に使用する任意の用語を、累積使用頻度に応じて前記変動キー領域に規定数だけ選択する選択ステップと、
予め設定されているキー配列規定に基づいて前記選択ステップにより選択された前記点検時に使用する任意の用語を前記変動キー領域に配列して表示する表示ステップと
を具備する現場保守支援方法。
【請求項８】
請求項７に記載の現場保守支援方法において、
前記累積使用頻度は、前記点検時に使用する任意の用語が、それぞれ前記現場点検までに前記変動キー領域と前記手書き入力領域とに入力された累積回数である現場保守支援方法。
【請求項９】
請求項６から８までの少なくとも一項に記載の現場保守支援方法において、
前記現場点検の前に、前記携帯端末機器の前記入力部に前記現場点検を行う点検員の識別ＩＤを入力する識別ＩＤ入力ステップと、
前記識別ＩＤ入力ステップで入力された前記識別ＩＤに対応する点検員が前記点検時までに入力してきた前記点検時に使用する任意の用語を、累積使用頻度に応じて規定数だけ選択する識別ＩＤ別選択ステップと、
予め設定されているキー配列規定に基づいて、前記識別ＩＤ別選択ステップにより選択された前記点検時に使用する任意の用語を前記変動キー領域に表示する識別ＩＤ別表示ステップと
を具備する現場保守支援方法。
【請求項１０】
請求項６から９までの少なくとも一項に記載の現場保守支援方法を実現するための、コンピュータ読み込み可能な現場保守支援プログラム。
【発明の詳細な説明】
【技術分野】
【０００１】
本発明は、プラントの現場保守の際に、ＩＣタグを用いることによって適宜機器の点検重要度が設定され、これにより最適な点検ルートが確定される。また、点検時に使用する用語のうち累積使用頻度の高いものが適宜選択されて、入力キーとして表示される変動キー領域を入力部に備えた点検作業用の携帯端末機器を有する。また、必要に応じて共有データベース化された過去の保全情報が、携帯端末機器を介して点検員により読み出されることにより、点検員のスキルおよび作業効率の向上と、これに伴うプラントの高い安全性、低い運転・保守費用を実現するための現場保守支援システム、および現場保守支援方法に関する。
【背景技術】
【０００２】
昨今、プラントの運転および保全費用の低減が強く要求されている。このため、当該費用の削減による、運転員・整備員の人員不足や技術伝承不足によるスキル低下が問題になっており、マニュアルに頼らずとも安全・適切な運転がなされるという前提が崩れつつある。
【０００３】
こうした現状を踏まえて、プラントの保全・管理に「リスクベースメンテナンス手法」が導入されつつある。「リスクベースメンテナンス手法」とは、プラントにおける故障の発生頻度および故障の重大性よりも、保全の重要度を優先的に評価し、重要度の高いものから優先して保全を実施する手法である。本手法は昨今のプラント保守費用削減のニーズにマッチしたものであるが、例えば、早急にメンテナンスを施す必要のある機器が当該プラントのメンテナンスリストから抜け落ちていたというように、完全にリスクを排除した手法となっていないといった問題がある。
【０００４】
このため、「リスクベースメンテナンス手法」の実施に際しては、プラントの安全性を向上させる上で基本となる日常点検を、ＩＴ技術等によりサポートすることにより、点検員のスキルを実質的に向上させることが重要である。
【０００５】
上記した技術に関して、特許公報第２７７２１６１号に開示されている「現場データ収集支援装置」では、プラントの点検作業時に携帯し、現場で点検作業に必要なデータを入力手段からの要求に従って表示手段に表示させ点検機器を点検し、この入力手段を介して複数の点検機器の点検データを収集する現場データ収集支援装置において、点検コースに含まれる複数の点検機器を表す点検機器情報、各点検機器に対するそれぞれの点検項目を表す点検項目情報および各点検項目に対するそれぞれの管理値を予め保存する点検機器情報データベースと、現場で点検作業をする際、当該点検コースに含まれる複数の点検機器を任意の点検機器を選択可能とするように一覧表示させる点検機器一覧表示機能と、複数の中から選択された点検機器に対する複数の点検項目を任意に選択可能とするように一覧表示させる点検項目一覧表示機能とを備え、入力手段からの要求に従って点検機器情報データベースが保存する情報を表示手段に表示させる点検情報表示管理手段と、この点検情報表示管理手段により表示手段に表示された点検項目に関する点検データを入力手段を介して入力し、この入力した点検データと点検機器情報データベースに保存される当該点検項目に対する管理値とを比較して点検データの正常または異常を判定し、この判定結果と点検データとを履歴データとして収集保存する点検データ入力管理手段とを備えた現場データ収集支援装置が提案されている。
【０００６】
【特許文献１】特許公報第２７７２１６１号
【発明の開示】
【発明が解決しようとする課題】
【０００７】
本発明の目的は、プラントの現場保守の際に、点検時に使用する用語のうち累積使用頻度の高いものが適宜選択されて、入力キーとして表示される変動キー領域を入力部に備えた点検作業用の携帯端末機器により、適宜機器の点検重要度等が設定され、また、必要に応じて共有データベース化された過去の保全情報が点検員により読み出されることにより、点検員のスキルおよび作業効率の向上と、これに伴うプラントの高い安全性、低い運転・保守費用を実現するための現場保守支援システム、および現場保守支援方法を提供することである。
【課題を解決するための手段】
【０００８】
以下に、［発明を実施するための最良の形態］で使用する括弧付き符号を用いて、課題を解決するための手段を説明する。これらの符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【０００９】
本発明の現場保守支援システム（１０）は、現場点検の際に携帯され、入力部（３１）および表示部（３２）を備える携帯端末機器（３０）と、現在までに現場において発生した故障に対する保守履歴情報を備えた工場内保全情報データベース（２００ｃ）を有する現場保守支援装置（２０）とを備え、携帯端末機器の入力部は、点検時に使用する任意の用語を入力キーとして表示するための変動キー領域（３１ｂ）を備え、現場点検時に、点検ルートおよび点検ルート以外に設置される機器に異常が発見されて異常に対応する対処方法が不明な場合、携帯端末機器は、入力部から入力された異常に関する気付き事項情報を現場保守支援装置に送信し、現場保守支援装置は気付き事項情報の受信に基づいて、気付き事項情報と工場内保全情報データベースの保守履歴情報とを照合することにより異常に対応する対処方法を検索し、検索による検索結果を携帯端末機器に返送し、携帯端末機器は、検索結果を表示部に表示する。
【００１０】
また、本発明の現場保守支援システム（１０）において、携帯端末機器（３０）の入力部（３１）は、さらに、タッチペンおよび指による手書き入力領域（３１ｃ）と、固定入力キー領域（３１ａ）とを有する。
【００１１】
また、本発明の現場保守支援システム（１０）において、変動キー領域（３１ｂ）には、点検時に使用する任意の用語が累積使用頻度に応じて規定数だけ選択され、さらに、予め設定されているキー配列規定に基づいて変動キー領域に表示される。
【００１２】
また、本発明の現場保守支援システム（１０）において、累積使用頻度は、点検時に使用する任意の用語が、それぞれ現場点検までに変動キー領域（３１ｂ）と手書き入力領域（３１ｃ）とに入力された累積回数である。
【００１３】
また、本発明の現場保守支援システム（１０）において、現場点検の前に、携帯端末機器（３０）の入力部（３１）に現場点検を行う点検員の識別ＩＤが入力され、変動キー領域（３１ｂ）には、識別ＩＤに対応する点検員が点検時までに入力してきた点検時に使用する任意の用語が累積使用頻度に応じて規定数だけ選択され、さらに、予め設定されているキー配列規定に基づいて変動キー領域に表示される。
【００１４】
また、本発明の現場保守支援方法は、現場点検の際に携帯され、点検時に使用する任意の用語を入力キーとして表示するための変動キー領域（３１ｂ）を備えた入力部（３１）と表示部（３２）とを備える携帯端末機器（３０）と、現在までに現場において発生した故障に対する保守履歴情報を備えた工場内保全情報データベース（２００ｃ）を有する現場保守支援装置（２０）とを有する現場保守支援システム（１０）における現場保守支援方法であって、現場点検時に、点検ルートおよび点検ルート以外に設置される機器に異常が発見されて異常に対応する対処方法が不明な場合、携帯端末機器は、入力部から入力された異常に関する気付き事項情報を現場保守支援装置に送信する気付き事項送信ステップと、気付き事項送信ステップにより送信された気付き事項に基づいて、気付き事項情報と工場内保全情報データベースの保守履歴情報とを照合することにより異常に対応する対処方法を検索する対処方法検索ステップと、対処方法検索ステップによる検索結果を携帯端末機器に返送する検索結果返送ステップと、検索結果返送ステップにより返送されてきた検索結果を表示部に表示する検索結果表示ステップとを備える。
【００１５】
また、本発明の現場保守支援方法において、気付き事項送信ステップの前に、さらに、点検時に使用する任意の用語を、累積使用頻度に応じて変動キー領域（３１ｂ）に規定数だけ選択する選択ステップと、予め設定されているキー配列規定に基づいて選択ステップにより選択された点検時に使用する任意の用語を変動キー領域に配列して表示する表示ステップとを備える。
【００１６】
また、本発明の現場保守支援方法において、累積使用頻度は、点検時に使用する任意の用語が、それぞれ現場点検までに変動キー領域（３１ｂ）と手書き入力領域（３１ｃ）とに入力された累積回数である。
【００１７】
また、本発明の現場保守支援方法において、現場点検の前に、携帯端末機器（３０）の入力部（３１）に現場点検を行う点検員の識別ＩＤを入力する識別ＩＤ入力ステップと、識別ＩＤ入力ステップで入力された識別ＩＤに対応する点検員が点検時までに入力してきた点検時に使用する任意の用語を、累積使用頻度に応じて規定数だけ選択する識別ＩＤ別選択ステップと、予め設定されているキー配列規定に基づいて、識別ＩＤ別選択ステップにより選択された点検時に使用する任意の用語を変動キー領域に表示する識別ＩＤ別表示ステップとを備える。
【００１８】
また、本発明の現場保守支援プログラム（２６ａ、３５ａ）は、コンピュータ読み込み可能であり、請求項６から９までの少なくとも一項に記載の現場保守支援方法を実現する。
【発明の効果】
【００１９】
本発明により、プラントの現場保守の際に、点検時に使用する用語のうち累積使用頻度の高いものが適宜選択されて、入力キーとして表示される変動キー領域を入力部に備えた点検作業用の携帯端末機器により、機器の点検重要度が適宜設定され、また、必要に応じて共有データベース化された過去の保全情報が点検員により読み出されることにより、点検員のスキルおよび作業効率の向上と、これに伴うプラントの高い安全性、低い運転・保守費用を実現するための現場保守支援システム、および現場保守支援方法を提供することができる。
【発明を実施するための最良の形態】
【００２０】
添付図面を参照して、本発明による現場保守支援システムを実施するための最良の形態を以下に説明する。
【００２１】
本発明の現場保守支援システムおよび現場保守支援方法は、プラント等の定期点検時に通常の点検ルート以外に設置されている機器も含めて、点検時に異常と認められた機器に付加されている、あるいは当該異常の認められた機器に新たに取り付けられるＩＣタグに点検重要度を入力することにより、次回点検における点検ルートを通常の点検ルートをベースとして適宜最適化する。さらに異常を確認した際、当該異常に対応する対処方法が不明な場合に、点検員の所持する携帯端末機器に当該異常に関する気付き事項情報が入力されることにより、過去の故障に関しての保守履歴情報が格納されている保全情報ＤＢにアクセスし、当該異常に対応する最適な対処方法を入手することができる。
【００２２】
また、本発明の現場保守支援システムに備えられる携帯端末機器は、（１）点検時に使用する用語のうち累積使用頻度の高いものが適宜選択されて、入力キーとして表示される変動キー領域と、（２）固定入力キー領域と、（３）タッチペンなどによる手書き入力領域とを有した入力部を備えている。これにより、特にＰＣ等の使用に不慣れな点検員に対しても、極めて容易かつ的確に必要項目を入力することが可能となり、現場点検における作業性の向上を実現する。
【００２３】
さらに、点検員のスキル向上と点検スキルの均一化、及びこれに伴うプラントの高い安全性、低い運転・保守費用が実現される。
【００２４】
（実施の形態）
本発明の実施の形態に係わる現場保守支援システムの概略構成を図１に示す。
【００２５】
本実施の形態の現場保守支援システム１０は、現場点検の際に携帯される携帯端末機器３０と、現在までに現場において発生した故障に対する保守履歴情報を備えた工場内保全情報データベースに接続される現場保守支援装置２０と、情報の書き換えが可能で、現場の機器に付加されるＩＣタグ４０と、現場に設置されている任意の機器に取り付けられて当該機器の動作情報を無線で送信する無線センサ５０とを備えている。
【００２６】
図２Ａに、携帯端末機器３０の概略構成を示す。携帯端末機器３０は、現場において点検員からの指示や情報を入力するための入力部３１と、ＩＣタグ４０および無線センサ５０から送信されてくる情報、あるいは入力部３１からの指示に基づいて現場保守支援装置２０から送信されてくる情報を表示する表示部３２と、ＩＣタグ４０、無線センサ５０、および現場保守支援装置２０との間で無線により通信を行うための通信部３３およびアンテナ部３３ａと、演算処理部３４と、記憶部３５とを備えている。記憶部３５には、予め現場保守支援システムを動作させるための現場保守プログラム３５ａが格納されている。そして、入力部３１と、表示部３２と、通信部３３と、演算処理部３４と、記憶部３５とはそれぞれバスライン３６で接続されている。
【００２７】
図２Ｂに、携帯端末機器３０の入力部３１および表示部３２の配置されたパネルの概略形態を示す。入力部３１は、液晶パネルなどで形成される変動キー領域（３１ｂ）と、固定入力キー領域（３１ａ）と、タッチペンや指などによる入力が可能な手書き文字入力領域（３１ｃ）とを有している。特に、変動キー領域においては、その点検作業時までに入力された点検関連用語などが、例えば変動キー領域と手書き文字入力領域とに入力される累積使用頻度に応じて順次規定数だけ表示され、さらに、予め設定されているキー配列規定に基づいて当該領域上に配列される。また、点検前に、点検員の識別ＩＤを入力部に入力することによって、対応する点検員が当該点検時までに入力してきた累積頻度の高い点検関連用語を上記と同様に表示部に表示することも可能である。
【００２８】
図３に、現場保守支援装置２０の概略構成図を示している。現場保守支援装置２０は、当該現場のある工場１内部の規定場所に配置されるものである。現場保守支援装置２０は、データベース等の管理、および指示や情報を入力するための入力部２１と、入力部２１からの指示に基づいて処理結果等を表示する表示部２３と、同様に必要に応じて処理結果を出力する出力部２２と、携帯端末機器３０との間で無線により通信を行うための通信部２４およびアンテナ部２４ａと、演算処理部２５と、記憶部２６とを備えている。記憶部３５には、予め現場保守支援システムを動作させるための現場保守支援プログラム２６ａが格納されている。そして、入力部２１と、表示部２３と、通信部２４と、出力部２２と、演算処理部２５と、記憶部２６とはそれぞれバスライン２７で接続されている。また、現場保守支援装置２０は、同じ工場内に設置されている工場内データベース管理装置２００にネットワークに１００を介して接続されている。工場内データベース管理装置２００には、当該工場における各種機器の振動・温度等のトレンドデータを蓄積した運転情報ＤＢ２００ａと、当該工場における各種機器の運転マニュアルや保全マニュアル等を備えた運用情報ＤＢ２００ｂと、当該工場における各種機器の故障に対する保全履歴情報や運転日誌等を含んだ保全情報ＤＢ２００ｃと、当該工場における各種機器の故障状況や保全状況を示した画像データを蓄積する画像情報ＤＢ２００ｄとが格納されている。図３においては、工場内データベース管理装置２００は、現場保守支援装置２０とは別々の装置として設置される形態として示されているが、工場内データベース管理装置２００を現場保守支援装置２０の内部に含めた構成としても良い。
【００２９】
また、工場１に配置されている工場内データベース管理装置２００は、ネットワーク１００を介して工場１の外部に設置されている遠隔監視センター２のデータベース管理装置３００に接続されている。データベース管理装置３００には、当該工場１を含んだ複数の工場から送信されてくる、複数工場における各種機器の振動・温度等のトレンドデータを蓄積した運転情報ＤＢ３００ａと、複数工場における各種機器の運転マニュアルや保全マニュアル等を備えた運用情報ＤＢ３００ｂと、複数工場における各種機器の故障に対する保全履歴情報や運転日誌等を含んだ保全情報ＤＢ３００ｃと、複数工場における各種機器の故障状況や保全状況を示した画像データを蓄積する画像情報ＤＢ３００ｄとが格納されており、現場保守支援装置２０は、必要に応じてデータベース管理装置３００にアクセスして必要な情報を取得することができる。
【００３０】
特に、本実施の形態に係わる現場保守支援システム１０の工場内データベース管理装置２００に含まれる画像情報データベース２００ｄ、および遠隔監視センター２のデータベース管理装置３００に含まれる画像情報データベース３００ｄに格納されている画像情報は、画像情報に文字情報が重畳された形態を有している。図４に、当該画像情報に文字情報が重畳される模式を示す。工場１内の各種機器において、故障が発見されると、カメラ等の撮像装置６０により、故障箇所の画像データが取得される。そして、文字重畳装置６１において、当該画像データと、入力装置６３から入力される当該故障に関する文字情報とが重畳される。この、文字情報の重畳された画像データ６４が、画像データ管理装置６２により画像情報ＤＢ２００ｄに送信されて格納される。
【００３１】
本発明の現場保守支援システム１０においては、後述するように、現場における点検時に故障が発見され、点検員から、現場保守支援装置２０に当該故障に関する問合せがあった場合、現場保守支援装置２０は、当該故障に対応する保全情報ＤＢ２００ｃに格納されている保全情報の他に、画像情報ＤＢ２００ｄに格納されている画像データ６４を返送することができる。点検員は、この文字情報が重畳される画像データ６４も併せ見ることにより、故障の原因を視覚的に判断し、適切な対応をとることができる。
【００３２】
（実施の形態の動作原理）
以下に、図５Ａを用いて、本実施の形態に係わる現場保守支援システム１０における動作原理を説明する。
【００３３】
まず、点検員による工場１の現場点検が開始されると、点検員の所持する携帯端末機器３０、および工場内に設置された現場保守支援装置２０が起動する。これにより、現場保守支援システム１０全体が始動する。携帯端末機器３０が起動すると、演算処理部３４が記憶部３５に格納される現場保守プログラム３５ａを読み込んで実行する。また、現場保守支援装置２０が起動すると、演算処理部２５が記憶部２６に格納される現場保守支援プログラム２６ａを読み込んで実行する。これにより、点検員の所持する携帯端末機器３０において、工場１の点検対象となる機器に付加されているＩＣタグ４０、無線センサ５０、および現場保守支援装置２０との間における送受信設定がなされ（ステップＳ０１）、ＩＣタグ４０、無線センサ５０からの信号の受信、ＩＣタグ４０に対する信号の送信、および携帯端末機器３０との間における信号の送受信が可能となる。
【００３４】
本実施の形態において、ＩＣタグ４０は、点検対象となる工場内機器に付加されている。ＩＣタグ４０には、当該ＩＣタグの付加されている機器に対する点検重要度と、当該装置を点検するように注意喚起情報を送信するか否かの設定情報とがＩＣタグ情報として入力されている。そして、このＩＣタグ情報は、点検者により適宜更新される。また、無線センサ５０は、動作状態を常時監視する必要は無いが、但し、特定の規定に基づいて監視する必要のある機器に対して取り付けられている。この無線センサ５０は、対象機器を適宜変更することが出来る他、測定に要する経費が安価である。このため、本実施の形態の構成要件として用いることにより、本実施の形態の構成、運転、および保全に要する費用低減を実現する。
【００３５】
点検員による工場１の現場点検時に、点検ルートおよび点検ルート以外に設置される機器に異常が発見されたとき、あるいは点検ルートおよび点検ルート以外に設置される機器に付加されているＩＣタグ４０から注意喚起情報が携帯端末機器３０で受信されたときに（ステップＳ０２）、その場で当該異常に対処出来る場合には、直ちに対処処理が実施される（ステップＳ０６）。しかし、当該点検員にとって対処処理が不明である場合には、携帯端末機器３０の入力部３１に当該異常に関する「気付き事項情報」が入力される（ステップＳ０３）。ここで、「気付き事項情報」とは、異常の発見された機器あるいは注意喚起情報を送信するＩＣタグ４０が付加された機器の異常と認められる物理的な動作状態を示す言語をキーワードとして含む情報である。
【００３６】
本実施の形態に係わる携帯端末機器３０の入力部３１は、既述したように、液晶パネルなどで形成されて、点検時における累積使用頻度の高い用語を示す入力キーが自動表示および配列される変動キー領域（３１ｂ）と、固定入力キー領域（３１ａ）と、タッチペンや指などによる入力が可能な手書き文字入力領域（３１ｃ）とを有している。まず、携帯端末機器３０が起動すると、変動キー領域においては、その点検作業時までに入力された点検関連用語などが、その累積使用頻度に応じて順次規定数だけ上記変動キー領域に表示され、さらに、予め設定されているキー配列規定に基づいて当該領域上に配列される。
【００３７】
本発明の実施の形態においては、上記の形態の他にも、以下の形態としても良い。つまり、図５Ｂの動作フローに示されているように、点検前に、点検員の識別ＩＤを入力部に入力することによって（ステップＳ１００）、識別ＩＤに対応する点検員毎に、当該点検員がそれまでに入力してきた累積頻度の高い点検関連用語の累積順位が調べられる（ステップＳ１０１）。そして、ステップＳ１０１の結果に基づいて、累積使用頻度の高い順から、図２Ｂに示されるような点検関連用語が順次規定数だけ変動キー領域に表示される（ステップＳ１０２）。これにより、変動キー領域（３１ｂ）と、固定キー領域（３１ａ）と、タッチペンや指などによる入力が可能な手書き文字認識領域（３１ｃ）とにより構成される入力部からの点検入力が行われる（ステップＳ１０３）。全ての点検作業が終了すると（ステップＳ１０４）、ステップＳ０３における一連の「気付き事項情報」入力が終了する。
【００３８】
携帯端末機器３０に入力された「気付き事項情報」は、通信部３３およびアンテナ部３３ａを介して現場保守支援装置２０に送信される。現場保守支援装置２０は、アンテナ部２４ａ、および通信部２４を介して「気付き事項情報」を受信する。そして、この受信に基づいて当該「気付き事項情報」と、工場内保全情報データベース２００に格納されている保全情報ＤＢ２００ｃの保守履歴情報とが照合される。照合では、「気付き事項情報」に含まれる異常の発見された、あるいは注意喚起情報を送信するＩＣタグが付加された機器の異常と認められる物理的な動作状態を示す言語をキーワードとして、保守履歴情報に含まれる当該異常と同等の異常が照合され、当該異常に対して施された保守の方法が検索される。工場内保全情報データベース２００に格納されている保全情報ＤＢ２００ｃに当該異常に対応する保守情報が見つからない場合には、さらに遠隔監視センター２に格納されている保全情報ＤＢ３００ｃの保守履歴情報との照合が行われる。そして、当該異常に対応する対処方法が検索されると、工場内データベース管理装置２００に格納されている画像情報ＤＢ２００ｄ、運転情報ＤＢ２００ａ、運用情報ＤＢ２００ｂからも当該キーワードに基づいて、当該異常に対応する関連情報が検索されて導出される（ステップＳ０４）。図６に、保全情報ＤＢ２００ｃに格納されて、特に異常と認められた機器に対して、その時点検員が気付いた気付き事項とその対処方法等が記載されている運転日誌の記載例が示されている。この日誌に記載されている対象機器の異常の重要度等が上記保守履歴情報の一例であり、当該対象機器に付加されているＩＣタグに入力される点検重要度と、当該対象機器を点検するように注意喚起情報を送信するか否かの設定情報とされる。また、図７には、同じく運転日誌において、当該異常が他のＤＢに格納されているどの情報と関連性があるのかが示されている。点検員は、携帯端末機器３０の表示部３２で検索終了の知らせを受け取ると、入力部３１に設定されている表示キーを押下して、図７に示されている当該異常に関連している運転日誌等、当該異常に対処するために必要な保守履歴情報を表示部３２に表示させることができる（ステップＳ０５）。そしてこの保守履歴情報に基づいて、点検員は当該異常に対応するための最適な処理を実施する（ステップＳ０６）。
【００３９】
当該異常に対処した後、点検員は、当該異常の情報およびその対処方法を共有な情報とするために、携帯端末機器３０の入力部３１から当該異常の内容とその対処方法等を入力し、工場内データベース管理装置２００のデータベースに送信する（ステップＳ０７）。ステップＳ０７における入力作業においても、点検員は、既述したように、携帯端末機器３０の入力部３１に備えられる変動キー領域（３１ｂ）と、固定キー領域（３１ａ）と、タッチペンや指などによる入力が可能な手書き文字認識領域（３１ｃ）とを使用することができる。また、当該点検員に対応したＩＤを入力部に入力することにより、図５Ｂに示されているステップＳ１００〜ステップＳ１０４の入力形態により、当該異常の内容とその対処方法等の入力を実施することもできる。
【００４０】
さらに、点検員は、当該異常に対応する対処方法および対処結果に基づいて、携帯端末機器３０の入力部３１から、上記と同様にして、異常が認められる機器に付加されている、および注意喚起情報を送信するＩＣタグ４０に次回点検時のための点検重要度、および注意喚起情報送付の要否を示す情報を入力する。これにより、ＩＣタグ４０の情報が更新される。異常および注意喚起情報に対応する機器にＩＣタグ４０が付加されていない場合には、新たに当該機器に新規ＩＣタグ４０が付加され、さらに携帯端末機器３０の入力部３１に新規ＩＣタグ４０の登録番号と、新規ＩＣタグの付加される機器に対応する次回点検時のための点検重要度、および注意喚起情報送付の要否を示す情報を入力する（ステップＳ０８）。
【００４１】
一方、点検員が巡回中に無線センサ５０の取り付けられている機器に接近すると、所持する携帯端末機器３０により自動的に当該機器の測定値データを受信する。受信した測定値データは携帯端末機器３０の表示部３２に表示されるとともに現場保守支援装置２０に送信される（ステップＳ１０）。点検員は、表示部３２に表示された測定値に基づいて当該機器の動作に異常があるかどうかの確認を行う（ステップＳ１１）。この確認において、異常を確認したが、当該異常に対応する対処方法が不明な場合、既に述べたステップＳ０３に示される「気付き事項情報」の入力が行われ、当該異常に対処するための対処方法が、携帯端末機器３０を介して現場保守支援装置２０に問い合わされ、ステップＳ０４以降のステップが実行される。
【００４２】
点検員が点検ルートを巡回し終わり、現場点検が終了した時点で、現場保守支援装置２０は、携帯端末機器３０から送信されてきたＩＣタグ４０それぞれの点検重要度に基づいて、マニュアルに記載の基本点検ルートをベースとした次回点検ルートを作成し、工場内運用情報データベース２００ｂの点検ルートの情報を更新する（ステップＳ０９）。
【００４３】
以上説明したように、本発明の現場保守支援システム１０により、
（１）点検員はプラントを巡回点検中に機器の異常を認識し、当該異常に対する対処方法が不明な場合、「気付き事項情報」を携帯端末機器３０に入力する。「気付き事項情報」に基づいて、保全情報ＤＢ２００ｃより過去の同様の機種、類似の気付き事項情報に対応するデータを検索し、そのときの運転データや保守方法・対処方法を携帯端末機器３０に表示する。これにより、経験の浅い点検員にでも適切な対処を可能とする。また、他工場におけるプラントの保全情報ＤＢ３００ｃも活用することで、より多くの正確な情報を得ることができる。さらに、本システムで気付き事項情報を入力した際、過去の同様の気付き、事故が即座に保全情報ＤＢ２００ｃより検索し表示されることから、点検・保全に際しての要注意点検事項を認識することが可能となり、類似事故を未然に防止する。また、現場点検の際に使用する携帯端末機器が、既述の入力形態を有することにより、特にＰＣ等の使用に不慣れな現場作業者に対しても、極めて容易に必要項目を入力することが可能となり、現場における作業性の向上が実現する。
【００４４】
（２）また、本実施の形態においては、点検員の所持する携帯端末機器３０より「気付き事項情報」が現場保守支援装置２０のデーベースに格納されて、点検員全員の共有データとされるため、それを閲覧することで、自身が今迄に対処したことのない異常状態を見つけた時にでも適切な対応をすることが出来る。そして、そのときの対応手法・結果を携帯端末機器３０に電子入力しておくことで、データベースの共有情報を増やしていくことができる。特に、異常時の運転方法に関しては、個人やプラント全体として誤った認識をしている場合があるが、他の点検員の対処方法や他プラントの点検員の点検・対処方法を閲覧・利用することで、工場内のみならず、工場間においても、相互に点検のスキルアップやスキルの均一化が可能となる。若年点検員のスキル向上にも有効に機能する。
【００４５】
（３）また、本実施の形態においては、点検マニュアルに沿った点検では、予め決まったルートで決められた時間間隔でしか点検が実施されず、その重要度は点検マニュアル改正時にしか変更されない。本実施の形態によるＩＣタグ４０を用いた情報発信機能では、点検員がＩＣタグ４０に近づき、過去に点検員が入力したＩＣタグ情報を自動的に読み取り、その情報の重要度が高い場合（重要度は過去に点検員が入力）、再度点検し、点検結果を入力することが可能となり、現場の状況を詳細に把握している点検員レベルでの点検ルートの最適化が可能となる。これにより、管理対象となるプラントにおける適切な点検・保守の実施が遂行され、プラントの安全性の向上が実現する。
【００４６】
（４）また、本実施の形態では、重要な機器の動作状況の把握のために、当該機器に取り付けられているセンサーを有線配線で工場内機器を管理している中央操作室に接続して常時監視をしているが、ボイラ給水ポンプ、二次空気ファン等の機器については、電流値等の簡単な現場計器がついているのみで、異常の有無については点検員の日常点検に依存している。本実施の形態においては、点検コストを削減するために、現場計器に換えて小型・安価な無線センサ５０を取り付け、携帯端末機器３０を持った点検員が巡回中に自動で振動や温度、音等のデータを収集し、機器の異常解析を自動で行うことで点検員の点検コスト削減とともに、異常兆候を早期に発見するための補助とする。そして、プラントの運転・保全コストの低減を実現する。
【００４７】
（５）燃焼プラント等の運転・保守では、炉内を撮像する赤外線カメラによる映像等の画像データが運転制御に役立っている。また、プラント内の機器の監視などにも広く利用されている。さらに、メンテナンス作業でも、機器の状態、劣化等の判断材料としても役立つ。しかし、画像データは、データ量が多く、蓄積した大量の画像データは管理がたいへんであり、その中から適宜必要な画像データを取り出すことは困難となる。本実施の形態の、画像情報ＤＢ２００ｄに格納される画像データにおいては、画像データ上に重畳された文字情報を参照することができる。これにより、プラント運転、監視及びメンテナンスに際し、画像データの整理や必要なデータの検索が容易に行える。また、本実施の形態では、カメラ等の撮像装置により取得した画像データに日付等の文字重畳を行い、その重畳文字データへ関連するプロセス値、その他の情報を含ませる。その画像データへ付加した情報から画像データの整理、検索等が容易となり、プラントの保守性の向上が実現する。
【図面の簡単な説明】
【００４８】
【図１】本発明の実施の形態に係わる現場保守支援システムの概略構成を示す図である。
【図２Ａ】本発明の実施の形態に係わる現場保守支援システムに備わる携帯端末機器の概略構成を示す図である。
【図２Ｂ】本発明の実施の形態に係わる現場保守支援システムに備わる携帯端末機器（入出力パネル部）の概略構成を示す図である。
【図３】本発明の実施の形態に係わる現場保守支援システムに備わる現場保守支援装置の概略構成を示す図である。
【図４】現場保守支援装置の画像情報データベースに格納される画像情報に文字情報を重畳させるための模式を示す図である。
【図５Ａ】本発明の実施の形態に係わる現場保守支援システムの動作フローを示す図である。
【図５Ｂ】本発明の実施の形態に係わる現場保守支援システムに備わる携帯端末機器の動作フローを示す図である。
【図６】本発明の実施の形態に係わる現場保守支援システムの保全情報ＤＢに格納される保全情報の表示例を示す図である。
【図７】本発明の実施の形態に係わる現場保守支援システムの保全情報ＤＢに格納される保全情報の表示例を示す図である。
【符号の説明】
【００４９】
１…工場
２…遠隔監視センター
１０…現場保守支援システム
２０…現場保守支援装置
２１、３１…入力部
２３、３２…表示部
２２…出力部
２４、３３…通信部
２４ａ、３３ａ…アンテナ部
２５、３４…演算処理部
２６、３５…記憶部
２６ａ…現場保守支援プログラム
３５ａ…現場保守支援プログラム
２７、３６…バスライン
３０…携帯端末機器
３１ａ…固定キー領域
３１ｂ…変動キー領域
３１ｃ…手書き文字認識領域
４０…ＩＣタグ
５０…無線センサ
６０…カメラ等の撮像装置
６１…文字重畳装置
６２…画像データ管理装置
６３…入力装置
６４…画像データ
１００…ネットワーク
２００…工場内データベース管理装置
２００ａ、３００ａ…運転情報ＤＢ
２００ｂ、３００ｂ…運用情報ＤＢ
２００ｃ、３００ｃ…保全情報ＤＢ
２００ｄ、３００ｄ…画像情報ＤＢ
３００…データベース管理装置
【図１】
2007241598.tif 000003
【図２Ａ】
2007241598.tif 000004
【図２Ｂ】
2007241598.tif 000005
【図３】
2007241598.tif 000006
【図４】
2007241598.tif 000007
【図５Ａ】
2007241598.tif 000008
【図５Ｂ】
2007241598.tif 000009
【図６】
2007241598.tif 000010
【図７】
2007241598.tif 000011